【手続補正書】
【提出日】平成26年6月27日(2014.6.27)
【手続補正１】
【補正対象書類名】明細書
【補正対象項目名】０１８２
【補正方法】変更
【補正の内容】
【０１８２】
本発明の様々な修正及び変更は、本発明の範囲及び趣旨から逸脱せずに当該技術分野の当業者に明らかとであり、本発明は、ここに記載された例示的な実施形態に限定されないことが理解されるべきである。例えば、１つの開示実施形態の特徴は、別に記載のない限り、他の開示実施形態全てにも適用され得ることを、読者は推定すべきである。また、本明細書において参照された全ての米国特許、公開特許出願、並びに他の特許及び非特許文書は、それらが上述の開示に矛盾しない範囲において、参照によって全てが組み込まれることが理解されるべきである。本発明の実施態様の一部を以下の項目［１］−［３３］に記載する。
［１］
パターン化されたフィルムを作製する方法であって、
第１反射特性を有する第１フィルムを提供する工程であって、前記第１フィルムがまた、第１放射光線への曝露時に、複屈折の変更によって前記第１反射特性を第２反射特性に変更するのに十分な量で前記第１フィルムの一部分を吸収的に加熱するのに好適な第１吸収特性も有する、工程と、
第２放射光線への曝露時に、異なる第２検出可能特性に変更する第１検出可能特性を有する、第２フィルムを提供する工程と、
前記第１フィルムをパターン化されたマスクに変換するように、前記第１放射光線を、前記第１フィルムの第１ゾーンではなく第２ゾーンに優先的に方向付けて、複屈折の変更によって、前記第１反射特性を前記第２ゾーン内の前記第２反射特性に変更する工程と、
前記パターン化されたマスクを使用して、前記第２放射光線をパターン化し、前記第２フィルムの選択された部分において、前記第１検出可能特性を前記第２検出可能特性に変更するために、前記第２フィルムに前記パターン化された第２放射光線を方向付ける工程と、
を含む、方法。
［２］
前記第１フィルムが、前記第１反射特性を提供するために、強め合う又は弱め合う干渉によって、選択的に光を反射するように配置される第１群の内部層を備え、前記第１反射特性から前記第２反射特性への前記変更が、実質的に、前記内部層のうちの少なくとも一部の複屈折の変更に起因する、項目１に記載の方法。
［３］
前記第１フィルムが、異なる第１及び第２相にそれぞれ分離される、第１及び第２ポリマー材料を含む、第１ブレンド層を備え、前記第１反射特性から前記第２反射特性への前記変更が、実質的に、前記第１及び第２ポリマー材料のうちの少なくとも１つの複屈折の変更に起因する、項目１に記載の方法。
［４］
前記第１放射光線を、前記第１フィルムの前記第２ゾーンに優先的に方向付ける工程が、前記第１放射光線を、前記第２ゾーンを画定する前記第１フィルムの部分上に走査することを含む、項目１に記載の方法。
［５］
前記第１反射特性が、前記第２反射特性よりも多く前記第２放射光線を反射する、項目１に記載の方法。
［６］
前記第２フィルムの前記選択された部分が、前記第１フィルムの前記第２ゾーンに対応する、項目１に記載の方法。
［７］
前記第１反射特性が、前記第２反射特性より少なく前記第２放射光線を反射する、項目１に記載の方法。
［８］
前記第２フィルムの前記選択された部分が、前記第２ゾーン以外の前記第１フィルムの部分に対応する、項目１に記載の方法。
［９］
前記第１及び第２放射光線が、異なる第１及び第２光学波長をそれぞれ備える、項目１に記載の方法。
［１０］
前記第１光学波長が、赤外線光学波長であり、前記第２光学波長が、７００ｎｍ未満である、項目９に記載の方法。
［１１］
前記第２フィルムが、前記第２放射光線への曝露時に、前記第１検出可能特性を前記第２検出可能特性に変更するのに十分な量、前記第２フィルムの一部分を吸収的に加熱するのに好適な第２吸収特性を有する、項目１に記載の方法。
［１２］
前記第２フィルムが、前記第１検出可能特性を提供するために、強め合う又は弱め合う干渉によって、選択的に光を反射するように配置される第２群の内部層を備え、前記第１検出可能特性から前記第２検出可能特性への前記変更が、実質的に、前記内部層のうちの少なくとも一部の複屈折の変更に起因する、項目１１に記載の方法。
［１３］
前記第２フィルムが、異なる第３及び第４相にそれぞれ分離される、第３及び第４ポリマー材料を含む、第２ブレンド層を備え、前記第１検出可能特性から前記第２検出可能特性への前記変更が、実質的に、前記第３及び第４ポリマー材料のうちの少なくとも１つの複屈折の変更に起因する、項目１１に記載の方法。
［１４］
前記第１又は第２反射特性が、少なくとも９０％、又は少なくとも９５％、又は少なくとも９９％の前記第２放射光線に対する反射率を有する、項目１に記載の方法。
［１５］
前記第１放射光線を方向付ける工程が、第１パターンを有する前記第１フィルムを提供し、前記方法が、前記第２放射光線をパターン化するために、前記パターン化されたマスクを使用した後に、前記第１フィルム内の前記第１パターンの少なくとも一部分を排除するように、前記第１フィルムに第３放射光線を方向付けることを更に含む、項目１に記載の方法。
［１６］
前記第１及び第２フィルムが、層状配列で接続される、項目１５に記載の方法。
［１７］
前記第３放射光線が、前記第１フィルムを実質的に非パターン化するように調整される、項目１５に記載の方法。
［１８］
前記第２反射特性が、前記第１反射特性よりも低い反射性である、項目１５に記載の方法。
［１９］
前記第２反射特性が、前記第１反射特性よりも高い反射性である、項目１５に記載の方法。
［２０］
パターン化されたフィルムを作製する方法であって、
パターン化されたマスクを提供する工程と、
第１反射特性を有する第１フィルムを提供する工程であって、前記第１フィルムがまた、第１放射光線への曝露時に、複屈折の変更によって前記第１反射特性を第２反射特性に変更するのに十分な量、前記第１フィルムの一部分を吸収的に加熱するのに好適な第１吸収特性も有する、工程と、
前記パターン化されたマスクを使用して、前記第１放射光線をパターン化し、前記第１フィルムの選択された部分における複屈折の変更によって、前記第１反射特性を前記第２反射特性に変更するように、前記第１フィルムに前記パターン化された第１放射光線を方向付ける工程と、を含む、方法。
［２１］
前記第１フィルムが、前記第１反射特性を提供するために、強め合う又は弱め合う干渉によって、選択的に光を反射するように配置される第１群の内部層を備え、前記第１反射特性から前記第２反射特性への前記変更が、実質的に、前記内部層のうちの少なくとも一部の複屈折の変更に起因する、項目２０に記載の方法。
［２２］
前記第１フィルムが、異なる第１及び第２相にそれぞれ分離される、第１及び第２ポリマー材料を含む、ブレンド層を備え、前記第１反射特性から前記第２反射特性への前記変更が、実質的に、前記第１及び第２ポリマー材料のうちの少なくとも１つの複屈折の変更に起因する、項目２０に記載の方法。
［２３］
前記第１フィルムの前記選択された部分の実質的に全てが、同時に、前記第１反射特性から前記第２反射特性に変更される、項目２０に記載の方法。
［２４］
第１反射特性を有する第１フィルムであって、第１放射光線への曝露時に、複屈折の変更によって前記第１反射特性を第２反射特性に変更するのに十分な量、前記第１フィルムの一部分を吸収的に加熱するのに好適な第１吸収特性もまた有する、第１フィルムと、
前記第１フィルムに取り付けられる、マスクと、
を備える、物品。
［２５］
前記第１反射特性から前記第２反射特性への前記変更が、実質的に、前記第１フィルムの少なくとも一部分の複屈折の変更に起因する、項目２４に記載の物品。
［２６］
前記第１フィルムが、前記第１反射特性を提供するために、強め合う又は弱め合う干渉によって、選択的に光を反射するように配置される、第１群の内部層を備える、項目２４に記載の物品。
［２７］
前記第１フィルムが、異なる第１及び第２相にそれぞれ分離される、第１及び第２ポリマー材料を含む、ブレンド層を備え、前記第１及び第２反射特性が、第１及び第２拡散的反射特性をそれぞれ含む、項目２４に記載の物品。
［２８］
前記マスクが、使用可能領域を有し、前記使用可能領域のいくつかの部分が、前記第１放射光線を阻止し、前記使用可能領域の他の部分が、前記第１放射光線を透過する、項目２４に記載の物品。
［２９］
前記マスクが、前記第１放射光線を前記第１フィルムの選択された部分上に優先的に再び方向付けるように適合された、１つ以上の構造化表面機構を備える、項目２４に記載の物品。
［３０］
前記１つ以上の構造化表面機構が、収束要素を含む、項目２９に記載の物品。
［３１］
前記１つ以上の構造化表面機構が、円筒の要素を含む、項目２９に記載の物品。
［３２］
前記１つ以上の構造化表面機構が、前記第１反射特性を前記第２反射特性に変更するのに十分な量で前記第１フィルムの選択された部分を適切に加熱させ、前記第１フィルムの他の部分を、前記第１反射特性を前記第２反射特性に変更させるのに十分な量では適切に加熱させない、項目２９に記載の物品。
［３３］
前記物品が、ＩＤ書類、セキュリティー物品、ディスプレイ、バックライト、及び光電子工学デバイスの群から選択される、項目２４に記載の物品。
【手続補正２】
【補正対象書類名】特許請求の範囲
【補正対象項目名】全文
【補正方法】変更
【補正の内容】
【特許請求の範囲】
【請求項１】
パターン化されたフィルムを作製する方法であって、
第１反射特性を有する第１フィルムを提供する工程であって、前記第１フィルムがまた、第１放射光線への曝露時に、複屈折の変更によって前記第１反射特性を第２反射特性に変更するのに十分な量で前記第１フィルムの一部分を吸収的に加熱するのに好適な第１吸収特性も有し、前記第１フィルムが、前記第１反射特性を提供するために、強め合う又は弱め合う干渉によって、選択的に光を反射するように配置される第１群の内部層を備える、工程と、
第２放射光線への曝露時に、異なる第２検出可能特性に変更する第１検出可能特性を有する、第２フィルムを提供する工程と、
前記第１フィルムをパターン化されたマスクに変換するように、前記第１放射光線を、前記第１フィルムの第１ゾーンではなく第２ゾーンに優先的に方向付けて、複屈折の変更によって、前記第１反射特性を前記第２ゾーン内の前記第２反射特性に変更する工程と、
前記パターン化されたマスクを使用して、前記第２放射光線をパターン化し、前記第２フィルムの選択された部分において、前記第１検出可能特性を前記第２検出可能特性に変更するために、前記第２フィルムに前記パターン化された第２放射光線を方向付ける工程と、
を含み、前記第１反射特性から前記第２反射特性への前記変更が、実質的に、前記内部層のうちの少なくとも一部の複屈折の変更に起因する、方法。
【請求項２】
パターン化されたフィルムを作製する方法であって、
パターン化されたマスクを提供する工程と、
第１反射特性を有する第１フィルムを提供する工程であって、前記第１フィルムがまた、第１放射光線への曝露時に、複屈折の変更によって前記第１反射特性を第２反射特性に変更するのに十分な量、前記第１フィルムの一部分を吸収的に加熱するのに好適な第１吸収特性も有し、前記第１フィルムが、前記第１反射特性を提供するために、強め合う又は弱め合う干渉によって、選択的に光を反射するように配置される第１群の内部層を備える、工程と、
前記パターン化されたマスクを使用して、前記第１放射光線をパターン化し、前記第１フィルムの選択された部分における複屈折の変更によって、前記第１反射特性を前記第２反射特性に変更するように、前記第１フィルムに前記パターン化された第１放射光線を方向付ける工程と、を含み、前記第１反射特性から前記第２反射特性への前記変更が、実質的に、前記内部層のうちの少なくとも一部の複屈折の変更に起因する、方法。
【請求項３】
第１反射特性を有する第１フィルムであって、第１放射光線への曝露時に、複屈折の変更によって前記第１反射特性を第２反射特性に変更するのに十分な量、前記第１フィルムの一部分を吸収的に加熱するのに好適な第１吸収特性もまた有し、前記第１フィルムが、前記第１反射特性を提供するために、強め合う又は弱め合う干渉によって、選択的に光を反射するように配置される第１群の内部層を備え、前記第１反射特性から前記第２反射特性への前記変更が、実質的に、前記内部層のうちの少なくとも一部の複屈折の変更に起因する、第１フィルムと、
前記第１フィルムに取り付けられる、マスクと、
を備える、物品。
【請求項４】
前記第１フィルムが、異なる第１及び第２相にそれぞれ分離される、第１及び第２ポリマー材料を含む、ブレンド層を備え、前記第１及び第２反射特性が、第１及び第２拡散的反射特性をそれぞれ含む、請求項３に記載の物品。
【請求項５】
前記マスクが、使用可能領域を有し、前記使用可能領域のいくつかの部分が、前記第１放射光線を阻止し、前記使用可能領域の他の部分が、前記第１放射光線を透過する、請求項３に記載の物品。